(57)【要約】      （修正有）【課題】汎用性が具備され、しかも、圧力による空気の膨張などを防ぐことができるとともに、指先等の手部を利用して潜水時における人体の生理的な変化の測定を正確に行うことができる潜水用手部ドライケースの提供。【解決手段】潜水時における人体の生理的な変化の測定を、手部Ｔを利用して行うための潜水用手部ドライケース１は、手部Ｔが収納可能な大きさに形成され、かつ、底面２ａ側が密閉され、天面２ｂ側が開放された略円筒状の手部収納室２と、この手部収納室２の天面２ｂ側に連結され、手首部Ｋを覆うように形成された手首装着部３と、前記手部収納室２表面の一部に設けられ、中圧ホース４ａを介して前記手部収納室２の内部と外部潜水用タンク４ｂとに連通する空気自動調整器４と、前記手部収納室２表面の一部に設けられ、浮力調整錘５ａを装着するベルト状に形成された錘装着部５とから構成されている。【選択図】図１
0003113352.tif 000002
【実用新案登録請求の範囲】
【請求項１】
潜水時における人体の生理的な変化の測定を、手部を利用して行うための潜水用手部ドライケースにおいて、
手部が収納可能な大きさに形成され、かつ、底面側が密閉され、天面側が開放された略円筒状の手部収納室と、
この手部収納室の天面側に連結され、手首部を覆うように形成された手首装着部と、
前記手部収納室表面の一部に設けられ、中圧ホースを介して前記手部収納室の内部と外部潜水用タンクとに連通する空気自動調整器と、
前記手部収納室表面の一部に設けられ、浮力調整錘を装着するベルト状に形成された錘装着部とから構成されていることを特徴とする潜水用手部ドライケース。
【請求項２】
請求項１に記載の潜水用手部ドライケースにおいて、
前記手部収納室と前記手首装着部とは、前記手部収納室の天面側縁部に沿って設けられたパッキン材を介して、複数の連結部材によって密接に連結されていることを特徴とする潜水用手部ドライケース。
【考案の詳細な説明】
【技術分野】
【０００１】  本考案は、潜水時における人体の生理的な変化の測定を、手部を利用して行うための潜水用手部ドライケースに関する。
【背景技術】
【０００２】  従来より、指先等の手部を利用して人体の生理的な変化を測定する技術は広く知られており、このような技術によって酸素飽和度や脈拍等の様々な生体情報を得ることが可能となっている（例えば、特許文献１参照）。【０００３】  また、上記特許文献１に記載のような技術を用いて、例えば、指先や耳朶などを利用する簡便で小型な測定装置も広く知られている。このような小型の測定装置によれば、測定に場所を取ることもなく、例えば、山の高地のような場所にも持ち運びができ、しかも精度の高い測定が可能となる。
【特許文献１】特開２００４−２０２１９０号公報
【考案の開示】
【考案が解決しようとする課題】
【０００４】  ところが、前記測定装置のような精度の高い装置においても、水中という特殊な場所では、潜水者がいる深度によって水圧に変化が生じるため、人体が受ける水圧の影響を加味した測定は難しく、また、厳重な防水機能を備えていない場合、測定装置自体も影響を受けることが考えられ、潜水時における測定は困難な場合があった。【０００５】  このような問題を対処すべく、前記測定装置を密閉されたケースに入れ、この測定装置に防水機能を備えさせて測定を行うという技術の開発が試みられていたが、浮力によるケースの浮上を防ぐことや、また、ケース内とケース外の圧力が等しくなるように保つことが難しいという問題があった。【０００６】  そこで、水圧の中和や浮力の中性化を行うための装置を備えることによって、圧力による空気の膨張などを防ぐとともに、指先等の手部を利用して潜水時における人体の生理的な変化の測定を正確に行うことができるようなドライケースの開発が望まれていた。
さらに、このようなドライケースを用いて生体情報の測定を行う際に、被測定者が一個人に限られず、汎用性を具備させるための技術の開発も併せて望まれていた。【０００７】  本考案の課題は、汎用性が具備され、しかも、圧力による空気の膨張などを防ぐことができるとともに、指先等の手部を利用して潜水時における人体の生理的な変化の測定を正確に行うことができる潜水用手部ドライケースを提供することを目的とする。
【課題を解決するための手段】
【０００８】  請求項１に記載の考案は、例えば図１に示すように、潜水時における人体の生理的な変化の測定を、手部Ｔを利用して行うための潜水用手部ドライケース１において、
手部Ｔが収納可能な大きさに形成され、かつ、底面２ａ側が密閉され、天面２ｂ側が開放された略円筒状の手部収納室２と、
この手部収納室２の天面２ｂ側に連結され、手首部Ｋを覆うように形成された手首装着部３と、
前記手部収納室２表面の一部に設けられ、中圧ホース４ａを介して前記手部収納室２の内部と外部潜水用タンク４ｂとに連通する空気自動調整器４と、
前記手部収納室２表面の一部に設けられ、浮力調整錘５ａを装着するベルト状に形成された錘装着部５とから構成されていることを特徴とする。【０００９】  ここで、前記空気自動調整器４とは、前記潜水用タンク４ｂから供給される高圧空気を前記中圧ホース４ａによって中圧に減圧し、この空気を更に潜水圧まで減圧して前記手部収納室２内に取り込む吸気部４ｃと、前記手部収納室２内の余分な空気を排出する排出部４ｄとから構成されたものを用いる。【００１０】  請求項１に記載の考案によれば、手部Ｔが収納可能な大きさに形成され、かつ、底面２ａ側が密閉され、天面２ｂ側が開放された略円筒状の手部収納室２と、
この手部収納室２の天面２ｂ側に連結され、手首部Ｋを覆うように形成された手首装着部３と、
前記手部収納室２表面の一部に設けられ、中圧ホース４ａを介して前記手部収納室２の内部と外部潜水用タンク４ｂとに連通する空気自動調整器４と、
前記手部収納室２表面の一部に設けられ、浮力調整錘５ａを装着するベルト状に形成された錘装着部５とから構成されていることから、汎用性が具備され、しかも、圧力による空気の膨張などを防ぐことができるとともに、指先等の手部Ｔを利用して潜水時における人体の生理的な変化の測定を正確に行うことができる。
すなわち、手部Ｔが収納可能な大きさに形成された前記手部収納室２と、手首部Ｋを覆うように形成された手首装着部３とが連結されており、この手首装着部３から手部収納室２に手部Ｔを挿入した際に、手首部Ｋが手首装着部３によって覆われて密閉された状態となり、防水性の向上を図ることができる。しかも、前記手部収納室２表面の一部に、中圧ホース４ａを介して前記手部収納室２の内部と外部潜水用タンク４ｂとに連通する空気自動調整器４が設けられていることから、潜水者がいる深度が変化し、前記手部収納室２内部の圧力が変化した時には、前記空気自動調整器４により空気が自動的に出し入れされるようになっているので、前記手部収納室２内部の圧力と外部の圧力が略同一の圧力となり、これによって、圧力による空気の膨張などを防ぐことができるとともに、人体の生理的な変化の測定を正確に行うことができる。また、このように、圧力による空気の膨張を防ぐことができることによって、例えば、水圧の変化による前記手部収納室２の破裂等を防ぐことができるので、潜水者の安全をも図ることが可能となる。
さらに、前記手部収納室２表面の一部には、浮力調整錘５ａを装着するベルト状に形成された錘装着部５が設けられていることから、前記手部収納室２内の空気により潜水中プラスの浮力が生じ、前記手部収納室２が浮上してしまう時には、前記ベルト状に形成された錘装着部５に浮力調整錘５ａを装着させることができるので、中性浮力を確保することができ、これによって、潜水時における人体の生理的な変化の測定を正確に行うことができる。【００１１】  請求項２に記載の考案は、例えば図１または図２に示すように、請求項１に記載の潜水用手部ドライケース１において、
前記手部収納室２と前記手首装着部３とは、前記手部収納室２の天面側縁部２ｃに沿って設けられたパッキン材７を介して、複数の連結部材６によって密接に連結されていることを特徴とする。【００１２】  ここで、前記連結部材６とは、前記手部収納室２と手首装着部３とを強固に把持して連結するようなものが挙げられ、例えば、２部材を簡単に連結できるとともに簡単に外すことができるようなラッチ６などでも良い。【００１３】  請求項２に記載の考案によれば、前記手部収納室２と前記手首装着部３とは、前記手部収納室２の天面側縁部２ｃに沿って設けられたパッキン材７を介して、複数の連結部材６によって密接に連結されていることから、前記手部収納室２の防水性が格段に向上するので、潜水時における人体の生理的な変化の測定を正確に行うことができる。
しかも、前記手部収納室２と前記手首装着部３とは前記複数の連結部材６によって連結されているので、着脱可能な構造となっており、被測定者の手首部Ｋに合った手首装着部３と付け替えができるように汎用性が具備されている。
【考案の効果】
【００１４】  本考案の潜水用手部ドライケースによれば、汎用性が具備され、しかも、圧力による空気の膨張などを防ぐことができるとともに、指先等の手部を利用して潜水時における人体の生理的な変化の測定を正確に行うことができる。
【考案を実施するための最良の形態】
【００１５】  以下、図面を参照して本考案に係る潜水用手部ドライケース１の実施の形態について説明する。【００１６】  本実施の形態の潜水用手部ドライケース１は、図１に示すように、潜水時における人体の生理的な変化の測定を、手部Ｔを利用して行うためのものであり、
手部Ｔが収納可能な大きさに形成され、かつ、底面２ａ側が密閉され、天面２ｂ側が開放された略円筒状の手部収納室２と、
この手部収納室２の天面２ｂ側に連結され、手首部Ｋを覆うように形成された手首装着部３と、
前記手部収納室２表面の一部に設けられ、中圧ホース４ａを介して前記手部収納室２の内部と外部潜水用タンク４ｂとに連通する空気自動調整器４と、
前記手部収納室２表面の一部に設けられ、浮力調整錘５ａを装着するベルト状に形成された錘装着部５とから構成されている。【００１７】  前記手部収納室２は、図１および図２に示すように、指や手などの手部Ｔが収納可能な大きさに、かつ、底面２ａ側が密閉され、天面２ｂ側が開放された略円筒状に形成されている。また、この手部収納室２は、本実施の形態では、アクリル樹脂を用いて構成されている。このようにアクリル樹脂を用いることによって、手部収納室２内部の状況や、手部収納室２内部に測定装置による測定結果表示の確認をすることができる。
なお、本実施の形態の手部収納室２は、アクリル樹脂を用いて構成されているが、透明度や加工の容易性、また、水圧に対する強度等に優れる素材であれば、これに限られるものではない。【００１８】  前記手首装着部３は、図１および図２に示すように、前記手部収納室２の天面２ｂ側に連結され、手首部Ｋを覆うように形成されている。また、この手首装着部３は、本実施の形態では、ゴム素材を用いて構成され、一方が前記手部収納室２の天面側縁部２ｃの周と略同一の大きさに形成され、他方が潜水者の手首部Ｋの周に合わせて形成されており、これにより防水性が向上し、水中であっても前記手首装着部３から前記手部収納室２に浸水することがない。
なお、本実施の形態の手首装着部３は、ゴム素材を用いて構成されているが、手首部Ｋに密着し、前記手部収納室２内を防水できるような素材であれば、これに限られるものではない。【００１９】  この手首装着部３と前記手部収納室２とは、図１に示すように、手首装着部３から手部収納室２に手部Ｔを挿入した際に、手首部Ｋが手首装着部３によって覆われて、前記手部収納室２内部が密閉された状態となり、防水性の向上を図ることができるようになっている。【００２０】  前記空気自動調整器４は、図１に示すように、前記手部収納室２表面の一部に、中圧ホース４ａを介して前記手部収納室２の内部と外部潜水用タンク４ｂとに連通するように設けられている。
また、この空気自動調整器４は、前記潜水用タンク４ｂから供給される高圧空気を前記中圧ホース４ａによって中圧に減圧し、この空気を更に潜水圧まで減圧して前記手部収納室２内に取り込む吸気部４ｃと、前記手部収納室２内の余分な空気を排出する排出部４ｄとから構成されている。
さらに、この空気自動調整器４は、前記吸気部４ｃが前記手部収納室２表面に設けられるが、この際、溶剤接着によって接着されている。このように溶剤接着によって接着することにより、前記手部収納室２の防水性を確保するとともに透明度を低下させることなく接着することが可能となる。【００２１】  このような空気自動調整器４によれば、潜水者がいる深度が変化し、前記手部収納室２内部の圧力が変化した時には、この空気自動調整器４により空気が自動的に出し入れされるようになっているので、前記手部収納室２内部の圧力と外部の圧力が略同一の圧力となり、これによって、圧力による空気の膨張などを防ぐことができるとともに、人体の生理的な変化の測定を正確に行うことができる。また、このように、圧力による空気の膨張を防ぐことができることによって、例えば、水圧の変化による前記手部収納室２の破裂等を防ぐことができるので、潜水者の安全をも図ることが可能となる。【００２２】  前記ベルト状に形成された錘装着部５は、図１に示すように、前記手部収納室２表面の一部に設けられ、浮力調整錘５ａを装着できるように構成されている。これによって、潜水用手部ドライケース１の浮力を中性化することができ、前記ドライケース１自体が浮上することがない。
なお、前記浮力調整錘５ａは、浮力を中性化できる重さであれば良く、その形状は任意のもので良い。また、例えば、この浮力調整錘５ａに溝（図示せず）等を形成して、ベルト状に形成された錘装着部５による浮力調整錘５ａの装着状態を向上させるようなものであれば望ましい。【００２３】  このようなベルト状に形成された錘装着部５によれば、前記手部収納室２内の空気により潜水中プラスの浮力が生じ、前記手部収納室２が浮上してしまう時に、このベルト状に形成された錘装着部５に浮力調整錘５ａを装着させることができるので、中性浮力を確保することができ、これによって、潜水時における人体の生理的な変化の測定を正確に行うことができるようになっている。【００２４】  一方、前記手部収納室２および手首装着部３は、図１および図２に示すように、前記手部収納室２の天面側縁部２ｃに沿って設けられたパッキン材７を介して、複数の連結部材６によって密接に連結されている。
前記複数の連結部材６としては、本実施の形態では、前記手部収納室２と手首装着部３とを強固に把持して連結するようなものが挙げられ、例えば、２部材を簡単に連結できるとともに簡単に外すことができるようなラッチ６などが望ましい。【００２５】  このように、ラッチ６で前記手部収納室２と手首装着部３とを連結する際には、これら手部収納室２および手首装着部３どうしが密接する連結部分近傍の表面に、一方の手首装着部３には引掛部６ｃが設けられ、他方の手部収納室２には前記引掛部６ｃに引っ掛かる爪部６ｂを有するラッチ本体６ａが設けられており、前記ラッチ本体６ａが開いている状態のときに前期爪部６ｂを前記引掛部６ｃに引っ掛け、そして、前記ラッチ本体６ａを閉めることで前記手部収納室２と手首装着部３とが密接に連結される。
また、前記パッキン材７が、前記手部収納室２と手首装着部３との間に設けられているので、さらに防水性が向上される。【００２６】  さらに、前記複数の連結部材６を用いることにより前記手部収納室２と手首装着部３とを連結することができるので、さまざまな手首サイズの手首装着部３を用意しておくことによって、本実施の形態の潜水用手部ドライケース１ケースには汎用性が具備されるようになっている。【００２７】  以上のような構成の潜水用手部ドライケース１を用いて、潜水時における人体の生理的な変化の測定を行うには、図１に示すように、まず、前記中圧ホース４ａを介して前記潜水用タンク４ｂと前記空気自動調整器４とを接続して、前記手部収納室２内部に空気が入るようにしておく。【００２８】  次に、潜水者の手首サイズに合う前記手首装着部３を選択して装着し、その上で、指先等を利用する小型の測定装置を装着する。【００２９】  そして、図２に示すように、前記手部収納室２の天面側縁部２ｃにパッキン材７を設けておき、図１に示すように、前記手首装着部３および測定装置を装着した状態の手部Ｔを挿入して、これら手部収納室２と手首装着部３とを複数の連結部材６によって密接に連結する。【００３０】  次に、前記ベルト状に形成された錘装着部５に浮力調整錘５ａを装着させ、潜水時の浮力を中性化して、潜水用手部ドライケース１の浮上を防ぐようにする。この時、水中で浮力を調整しながら、任意の重さの浮力調整錘５ａを取り付けるようにしても良い。【００３１】  そして、潜水を開始する。潜水を開始した際には、潜水者がいる深度によって前記手部収納室２内部の圧力が変化するので、前記空気自動調整器４により空気が自動的に出し入れされて、前記手部収納室２内部の圧力と外部の圧力が略同一の圧力となる。【００３２】  そして、このような状態で、また、任意の深度で、潜水時における人体の生理的な変化の測定を開始する。【００３３】  本実施の形態の潜水用手部ドライケース１によれば、汎用性が具備され、しかも、圧力による空気の膨張などを防ぐことができるとともに、指先等の手部Ｔを利用して潜水時における人体の生理的な変化の測定を正確に行うことができる。
【図面の簡単な説明】
【００３４】
【図１】本考案の潜水用手部ドライケースを示す概略図である。
【図２】手部収納室と手首装着部と連結部分の構造を示す分解概略図である。
【符号の説明】
【００３５】Ｔ  手部
Ｋ  手首部
１  潜水用手部ドライケース
２  手部収納室
３  手首装着部
４  空気自動調整器
５  錘装着部
６  連結部材
７  パッキン材
【図１】
0003113352.tif 000003
【図２】
0003113352.tif 000004